(57)【要約】【課題】火災感知器において、光が入射する角度の違いによって、複数の光検出素子それぞれに入射する光量の差が大きくなりづらくする。【解決手段】火災感知器Ｓは、第１の波長の光を検出する第１光検出素子１と、第２の波長の光を検出し、第１光検出素子１の火災感知器Ｓの幅方向における側方に設けられている第２光検出素子２と、第１光検出素子１及び第２光検出素子２の上方に設けられている上板３１を有し、不要光が第１光検出素子１及び第２光検出素子２に入射する量を低減させるフード３を有し、フード３の上方から上板３１を第１光検出素子１及び第２光検出素子２が設けられた面に投影した投影面の一辺が、第１光検出素子１の受光面の中心と第２光検出素子２の受光面の中心とを結ぶ中心線Ｌ１と平行である。【選択図】図１
2020197397.tif 000002
【特許請求の範囲】
【請求項１】
第１の波長の光、及び前記第１の波長と異なる第２の波長の光を検出することで火災を検出する火災感知器であって、
前記第１の波長の光を検出する第１光検出素子と、
前記第２の波長の光を検出し、前記第１光検出素子の前記火災感知器の幅方向における側方に設けられている第２光検出素子と、
前記第１光検出素子及び前記第２光検出素子の前記火災感知器の高さ方向における上方に設けられている上板を有し、不要光が前記第１光検出素子及び前記第２光検出素子に入射する量を低減させるフードと、
を有し、
前記フードの上方から前記上板を前記第１光検出素子及び前記第２光検出素子が設けられた面に投影した投影面の一辺が、前記第１光検出素子の受光面の中心と前記第２光検出素子の受光面の中心とを結ぶ中心線と平行であることを特徴とする火災感知器。
【請求項２】
前記フードは、前記上板の前記幅方向における側端から下方に向かって延伸している側板をさらに有し、
前記上板の前方側の辺である前方辺は、前記第１光検出素子の受光面の中心と前記第２光検出素子の受光面の中心とを結ぶ中心線と平行であり、
前記側板は、少なくとも前記前方辺の側端と前記中心線とを結ぶ方向に延伸しており、かつ前記中心線と直交している側方辺を有することを特徴とする、
請求項１に記載の火災感知器。
【請求項３】
前記上板は、前端から後方に向かって延伸している第１領域と、前記前端から下方に向かって延伸している第２領域とを有し、
前記フードは、前記上板の前記幅方向における側端から下方に向かって延伸している側板をさらに有し、
前記第２領域の下方側の辺である下方辺は、前記第１光検出素子の受光面の中心と前記第２光検出素子の受光面の中心とを結ぶ中心線と平行であり、
前記側板は、少なくとも前記下方辺の側端と前記中心線とを結ぶ方向に延伸しており、かつ前記中心線と直交している側方辺を有することを特徴とする、
請求項１に記載の火災感知器。
【請求項４】
前記側板は、前記上板と直交していることを特徴とする、
請求項２又は３に記載の火災感知器。
【請求項５】
前記フードは、前記上板の前記幅方向における側端から下方に向かうにつれて徐々に前記側端からの距離が大きくなるように前記幅方向における外側向きに傾斜して湾曲している湾曲板部と、前記湾曲板部の下端から下方に向かって延伸している平板部と、を有する側板をさらに有することを特徴とする、
請求項１に記載の火災感知器。
【請求項６】
前記側板として、
前記第１光検出素子及び前記第２光検出素子の前記幅方向における左側に設けられた左側板と、
前記第１光検出素子及び前記第２光検出素子の前記幅方向における右側に設けられた右側板と、
が設けられていることを特徴とする、
請求項２から５のいずれか一項に記載の火災感知器。
【請求項７】
前記上板は上方に凸形状の曲面を有していることを特徴とする、
請求項１に記載の火災感知器。
【請求項８】
前記第１光検出素子が検出した前記第１の波長の光の強度と、前記第２光検出素子が検出した前記第２の波長の光の強度との関係に基づいて、火災が発生したか否かを判定する判定部をさらに有することを特徴とする、
請求項１から７のいずれか一項に記載の火災感知器。
【発明の詳細な説明】
【技術分野】
【０００１】
本発明は、火災感知器に関する。
【背景技術】
【０００２】
従来、火災で生じる炎の光と異なる不要光が光検出素子に入射する量を低減させるフードを有する火災感知器が知られている。火災で生じる炎の光と異なる不要光は、例えば、太陽光、照明光、又は発熱体等である。特許文献１には、本体前面に設けられている検出窓の内側には炎からのエネルギーを受光して検出する検出素子が内蔵されており、検出窓に対してはフードが装着され、直射日光が検出窓に入射するのを防ぐことができる炎検出器が開示されている。
【先行技術文献】
【特許文献】
【０００３】
【特許文献１】特許第５２１３１４１号公報
【発明の概要】
【発明が解決しようとする課題】
【０００４】
火災感知器においては、例えば、検出する対象の波長がそれぞれ異なる複数の光検出素子を用いて、これらの光検出素子が検出したそれぞれの波長の光の強度の関係性が、炎の光を検出した場合の光の強度の関係性と一致する場合に、炎を検出する。このような場合に、不要光が、それぞれの光検出素子に異なる強度で入射してしまうと、火災が発生していないにもかかわらず、炎を検出したと誤判定してしまう場合があるという問題が生じていた。
【０００５】
不要光を遮るためのフードを有する火災感知器においては、不要光が複数の光検出素子に向かう方向によっては、複数の光検出素子の受光面におけるフードによって遮られる面積の差が大きくなってしまう場合がある。この場合、不要光が複数の光検出素子の受光面のそれぞれに入射する量の差が大きくなってしまうことで、上述したように、火災感知器は誤作動が生じ易くなってしまうという問題が生じていた。
【０００６】
そこで、本発明はこれらの点に鑑みてなされたものであり、光が入射する角度の違いによって、複数の光検出素子それぞれに入射する光量の差が大きくなりづらい火災感知器を提供することを目的とする。
【課題を解決するための手段】
【０００７】
本発明の第１の態様においては、第１の波長の光、及び前記第１の波長と異なる第２の波長の光を検出することで火災を検出する火災感知器であって、前記第１の波長の光を検出する第１光検出素子と、前記第２の波長の光を検出し、前記第１光検出素子の前記火災感知器の幅方向における側方に設けられている第２光検出素子と、前記第１光検出素子及び前記第２光検出素子の前記火災感知器の高さ方向における上方に設けられている上板を有し、不要光が前記第１光検出素子及び前記第２光検出素子に入射する量を低減させるフードと、を有し、前記フードの上方から前記上板を前記第１光検出素子及び前記第２光検出素子が設けられた面に投影した投影面の一辺が、前記第１光検出素子の受光面の中心と前記第２光検出素子の受光面の中心とを結ぶ中心線と平行であることを特徴とする火災感知器を提供する。
【０００８】
また、前記フードは、前記上板の前記幅方向における側端から下方に向かって延伸している側板をさらに有し、前記上板の前方側の辺である前方辺は、前記第１光検出素子の受光面の中心と前記第２光検出素子の受光面の中心とを結ぶ中心線と平行であり、前記側板は、少なくとも前記前方辺の側端と前記中心線とを結ぶ方向に延伸しており、かつ前記中心線と直交している側方辺を有していてもよい。
【０００９】
また、前記上板は、前端から後方に向かって延伸している第１領域と、前記前端から下方に向かって延伸している第２領域とを有し、前記フードは、前記上板の前記幅方向における側端から下方に向かって延伸している側板をさらに有し、前記第２領域の下方側の辺である下方辺は、前記第１光検出素子の受光面の中心と前記第２光検出素子の受光面の中心とを結ぶ中心線と平行であり、前記側板は、少なくとも前記下方辺の側端と前記中心線とを結ぶ方向に延伸しており、かつ前記中心線と直交している側方辺を有していてもよい。
【００１０】
また、前記側板は、前記上板と直交していてもよい。また、前記フードは、前記上板の前記幅方向における側端から下方に向かうにつれて徐々に前記側端からの距離が大きくなるように前記幅方向における外側向きに傾斜して湾曲している湾曲板部と、前記湾曲板部の下端から下方に向かって延伸している平板部と、を有する側板をさらに有していてもよい。
【００１１】
また、前記側板として、前記第１光検出素子及び前記第２光検出素子の前記幅方向における左側に設けられた左側板と、前記第１光検出素子及び前記第２光検出素子の前記幅方向における右側に設けられた右側板と、が設けられていてもよい。また、前記上板は上方に凸形状の曲面を有していてもよい。
【００１２】
また、前記第１光検出素子が検出した前記第１の波長の光の強度と、前記第２光検出素子が検出した前記第２の波長の光の強度との関係に基づいて、火災が発生したか否かを判定する判定部をさらに有していてもよい。
【発明の効果】
【００１３】
本発明によれば、火災感知器において、光が入射する角度の違いによって、複数の光検出素子それぞれに入射する光量の差が大きくなりづらくなるという効果を奏する。
【図面の簡単な説明】
【００１４】
【図１】第１の実施形態に係る火災感知器の構造を示す。
【図２】図１で示す火災感知器を矢印Ａの向きに見た構造を示す。
【図３】図１で示す火災感知器を矢印Ｂの向きに見た構造を示す。
【図４】火災感知器において、検出する対象となる光の波長について説明するための図である。
【図５】比較例としての火災感知器の構造を示す。
【図６】変形例１としての火災感知器の構造を示す。
【図７】第２の実施形態に係る火災感知器の構造を示す。
【図８】第３の実施形態に係る火災感知器の構造を示す。
【図９】第４の実施形態に係る火災感知器の構造を示す。
【発明を実施するための形態】
【００１５】
＜第１の実施形態＞
［第１の実施形態に係る火災感知器Ｓの構造］
図１は、第１の実施形態に係る火災感知器Ｓの構造を示す図である。図２は、図１で示す火災感知器Ｓを矢印Ａの向きに見た構造、すなわち火災感知器Ｓを前方側から見た構造を示す図である。図３は、図１で示す火災感知器Ｓを矢印Ｂの向きに見た構造、すなわち火災感知器Ｓを左方側から見た構造を示す図である。図４は、火災感知器Ｓにおいて、検出する対象となる光の波長について説明するための図である。
【００１６】
図４に示すように、火災感知器Ｓは、例えば、第１の波長の光、及び第１の波長と異なる第２の波長の光を検出することで火災を検出する。第１の波長の光は、例えば、物が燃焼するときに生じる二酸化炭素から共鳴放射される波長のピーク値である約４．４μｍの光である。第２の波長の光は、例えば、物が燃焼するときに生じる二酸化炭素から共鳴放射の存在しない特徴的波長部分の波長約４．０μｍの光である。火災感知器Ｓが炎を検出する方法の詳細については後述する。
【００１７】
火災感知器Ｓは、第１光検出素子１、第２光検出素子２、フード３、及び判定部４を有する。第１光検出素子１は、第１の波長の光を検出する。第２光検出素子２は、第２の波長の光を検出する。第２光検出素子２は、第１光検出素子１の火災感知器Ｓの幅方向（以下、「幅方向」という。）における側方に設けられている。第１光検出素子１の受光面の形状と第２光検出素子２の受光面の形状は同じである。
【００１８】
フード３は、不要光が第１光検出素子１及び第２光検出素子２に入射する量を低減させる。図３に示すように、火災感知器Ｓは、例えば、屋外において、取付面に設置される。火災感知器Ｓは、フード３を有することで、例えば、不要光に含まれる太陽光が第１光検出素子１及び第２光検出素子２に入射する量を低減させることができる。火災感知器Ｓは、このように不要光が第１光検出素子１及び第２光検出素子２に入射する量を低減させることで、非火災報を生じづらくすることができる。フード３の詳細は後述する。
【００１９】
判定部４は、例えばＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）を有する。判定部４は、第１光検出素子１が検出した第１の波長の光の強度と、第２光検出素子２が検出した第２の波長の光の強度との関係に基づいて、火災が発生したか否かを判定する。
【００２０】
具体的には、判定部４は、第１光検出素子１が検出した第１の波長の光の強度、及び第２光検出素子２が検出した第２の波長の光の強度を示す信号を取得して、第１の波長の光の強度と第２の波長の光の強度との比率を特定することで、火災が生じているか否かを判定する。より具体的には、判定部４は、第１光検出素子１が検出した第１の波長の光の強度と第２光検出素子２が検出した第２の波長の光の強度との比が、炎に含まれる第１の波長の光の強度と第２の波長の光の強度との比と一致する場合に、火災が生じていると判定する。
【００２１】
判定部４は、第１光検出素子１が検出した第１の波長の光の強度と第２光検出素子２が検出した第２の波長の光の強度との比が、炎に含まれる第１の波長の光の強度と第２の波長の光の強度との比として予め設定された範囲内の値である場合に、火災が生じていると判定してもよい。炎に含まれる第１の波長の光の強度と第２の波長の光の強度との比として予め設定された範囲は、例えばＲＯＭに格納されている。判定部４は、火災が生じたと判定した場合に、火災が生じていることを示す信号を外部（例えば火災受信機）に対して出力する。火災感知器Ｓは、このように第１の波長の光、及び第１の波長と異なる第２の波長の光を検出することで、火災を検知する確度を向上させている。
【００２２】
火災感知器Ｓにおいては、第１光検出素子１に入射する不要光の量と第２光検出素子２に入射する不要光の量との差が大きくなり過ぎないようにフード３が構成されている。その結果、火災感知器Ｓに不要光が照射されたとしても、第１光検出素子１が検出する第１の波長の光の強度と第２光検出素子２が検出する第２の波長の光の強度との比が変化しづらい。火災感知器Ｓがこのように構成されていることにより、火災を検知する確度がさらに向上している。
【００２３】
［フード３の構造］
以下、図１から図３を参照しながら、フード３の詳細について説明する。フード３は、上板３１、及び側板３２を有する。上板３１は、第１光検出素子１及び第２光検出素子２の火災感知器Ｓの高さ方向（以下、「高さ方向」という。）における上方に設けられている。上板３１は、前方辺３１１（Ｌ２）を有する。前方辺３１１は、上板３１の前方側の辺である。上板３１の前方側は、火災感知器Ｓにおける第１光検出素子１の受光面及び第２光検出素子２の受光面が露出している側である。
【００２４】
フード３の上方から上板３１を第１光検出素子１及び第２光検出素子２が設けられた面に投影した投影面の一辺は、第１光検出素子１の受光面の中心と第２光検出素子２の受光面の中心とを結ぶ中心線Ｌ１と平行である。投影面の一辺は、例えば、フード３の上方から、前方辺３１１及び側方辺３２１のうちの少なくとも一方の辺を、第１光検出素子１及び第２光検出素子２が設けられた面に投影した辺を含む。
【００２５】
前方辺３１１は、第１光検出素子１の受光面の中心と第２光検出素子２の受光面の中心とを結ぶ中心線Ｌ１と平行である。前方辺３１１は、中心線Ｌ１よりも前方に位置する。
【００２６】
側板３２は、上板３１と直交しており、上板３１の幅方向における側端から下方に向かって延伸している。側板３２は、少なくとも側方辺３２１（Ｌ３）を有する。側方辺３２１は、前方辺３１１の側端と中心線Ｌ１とを結ぶ方向に延伸しており、かつ中心線Ｌ１と直交している。ここで、直交とは、完全に直交ではなく、直交から±１０度の範囲を含んでいてもよい。
【００２７】
このように、中心線Ｌ１と側方辺３２１（Ｌ３）は直交している。また、前述したように、中心線Ｌ１と前方辺３１１（Ｌ２）は平行である。よって、図１に示すように、火災感知器Ｓを中心線Ｌ１に前方辺３１１（Ｌ２）が重なる向きから見た場合、側方辺３２１（Ｌ３）は、中心線Ｌ１に重なり易くなる。
【００２８】
火災感知器Ｓは、側板３２として、左側板３２Ｌ、及び右側板３２Ｒを有する。左側板３２Ｌは、第１光検出素子１及び第２光検出素子２の幅方向における左側に設けられた側板である。右側板３２Ｒは、第１光検出素子１及び第２光検出素子２の幅方向における右側に設けられた側板である。
【００２９】
火災感知器Ｓは、このように側板３２として、左側板３２Ｌ及び右側板３２Ｒを有することで、第１光検出素子１及び第２光検出素子２に入射するのを遮ることが可能な不要光の向きの範囲が増加する。よって、火災感知器Ｓは、このように側板３２として、左側板３２Ｌ及び右側板３２Ｒを有することで、不要光が第１光検出素子１及び第２光検出素子２に入射する量をより低減させることができる。
【００３０】
また、前方辺３１１が中心線Ｌ１と平行に構成されていることにより、前方辺３１１が中心線Ｌ１と平行に構成されていない場合に比べて、第１光検出素子１に入射する不要光の量と第２光検出素子２に入射する不要光の量との差を小さくすることができる。さらに、側板３２が前方辺３１１の側端と中心線Ｌ１とを結ぶ方向に延伸しており、かつ中心線Ｌ１と直交している側方辺３２１を有することで、不要光が側方から照射された場合であっても、第１光検出素子１に入射する不要光の量と第２光検出素子２に入射する不要光の量との差が大きくなることを抑制することができる。その結果、火災感知器Ｓは、火災を検知する確度が向上し、誤作動が生じづらくなっている。
【００３１】
図５は、比較例としての火災感知器Ｔの構造を示す図である。
火災感知器Ｔは、火災感知器Ｓと比べて、フード９の側板９２の形状がフード３の側板３２の形状と異なる。
【００３２】
火災感知器Ｔは、第１光検出素子１、第２光検出素子２、及びフード９を有する。フード９は、上板９１、及び側板９２を有する。上板９１は、上板３１と同様に、前方辺９１１を有する。前方辺９１１は、前方辺３１１と同様に、上板９１の前方側の辺である。
【００３３】
側板９２は、側板３２と同様に上板９１と直交しており、上板９１の火災感知器Ｔの幅方向における側端から下方に向かって延伸している。側板９２は、側方辺３２１の代わりに、前方辺９２１、及び下方辺９２２を有する。前方辺９２１は、側板９２の前方側の辺である。前方辺９２１は、前方辺９１１の火災感知器Ｔの幅方向における側端から下方に向かって延伸している。前方辺９２１は、前方辺９１１と直交している。
【００３４】
下方辺９２２は、前方辺９２１と直交しており、前方辺９２１の下端から後方に向かって延伸している辺である。前方辺９２１の下端、及び下方辺９２２は、第１光検出素子１の受光面の中心と第２光検出素子２の受光面の中心とを結ぶ中心線Ｌ４よりも下方に位置する。
【００３５】
火災感知器Ｔは、側板９２として、左側板９２Ｌ、及び右側板９２Ｒを有する。左側板９２Ｌは、左側板３２Ｌと同様に、第１光検出素子１及び第２光検出素子２の火災感知器Ｔの幅方向における左側に設けられた側板である。右側板９２Ｒは、右側板３２Ｒと同様に、第１光検出素子１及び第２光検出素子２の火災感知器Ｔの幅方向における右側に設けられた側板である。
【００３６】
火災感知器Ｔは、第１光検出素子１、第２光検出素子２、及び上述した形状のフード９を有することで、フード９が不要光を遮る第１光検出素子１の受光面の面積とフード９が不要光を遮る第２光検出素子２の受光面の面積との差が大きくなってしまう。したがって、第１光検出素子１に入射する不要光の量と第２光検出素子２に入射する不要光の量との差が大きくなってしまい易い。
【００３７】
具体的には、図５に示すように、例えば、不要光が、火災感知器Ｔの左前上方から第１光検出素子１及び第２光検出素子２に向かう場合、フード９によって遮られる第２光検出素子２の受光面の面積が、フード９によって遮られる第１光検出素子１の受光面の面積よりも大きくなってしまう。よって、この場合、第１光検出素子１に入射する不要光の量は、第２光検出素子２に入射する不要光の量よりも多くなってしまう。この結果、火災感知器Ｔは、火災感知器Ｓに比べると誤作動が生じ易い。
【００３８】
［変形例１］
図６は、変形例１としての火災感知器Ｓａの構造を示す図である。なお、図６は、火災感知器Ｓａを前方側から見た構造を示す図である。
上記第１の実施形態においては、火災感知器Ｓは、第１の波長の光を検出する第１光検出素子１、及び第２の波長の光を検出する第２光検出素子２を有する例を示したが、火災感知器Ｓａが有する光検出素子の数は、これに限定されない。火災感知器Ｓａが有する光検出素子の数は任意である。
【００３９】
図６に示すように、火災感知器Ｓａは、例えば３個の光検出素子を有していてもよい。この場合、火災感知器Ｓａは、第１光検出素子１及び第２光検出素子２に加えて、第３光検出素子５ａを有していてもよい。第３光検出素子５ａは、第１光検出素子１及び第２光検出素子２の火災感知器Ｓａの幅方向における側方に設けられている。図４に示すように、第３光検出素子５ａは、第１の波長及び第２の波長と異なる第３の波長の光を検出する。第３の波長の光は、前記第１の波長と前記第２の波長とは異なる、物が燃焼するときに生じる二酸化炭素から共鳴放射の存在しない特徴的部分の例えば波長約５．０μｍの光である。第３光検出素子５ａの受光面の形状は、第１光検出素子１の受光面の形状及び第２光検出素子２の受光面の形状と同じである。
【００４０】
［変形例２］
上記第１の実施形態においては、側板３２が上板３１と直交している例を示したが、側板３２と上板３１との間の角度は、これに限定されない。側板３２と上板３１との間の角度は任意である。
【００４１】
［第１の実施形態に係る火災感知器Ｓによる効果］
第１の実施形態に係る火災感知器Ｓは、少なくとも第１の波長の光、及び第１の波長と異なる第２の波長の光を検出することで火災を検出する。そして、火災感知器Ｓは、第１の波長の光を検出する第１光検出素子１と、第２の波長の光を検出し、第１光検出素子１の幅方向における側方に設けられている第２光検出素子２と、を有する。
【００４２】
また、火災感知器Ｓは、第１光検出素子１及び第２光検出素子２の高さ方向における上方に設けられている上板３１と、上板３１の幅方向における側端から下方に向かって延伸している側板３２とを有し、不要光が第１光検出素子１及び第２光検出素子２に入射する量を低減させるフード３を有する。そして、上板３１の前方側の辺である前方辺３１１は、第１光検出素子１の受光面の中心と第２光検出素子２の受光面の中心とを結ぶ中心線Ｌ１と平行であり、側板３２は、少なくとも前方辺３１１の側端と中心線Ｌ１とを結ぶ方向に延伸しており、かつ中心線Ｌ１と直交している側方辺３２１を有する。
【００４３】
火災感知器Ｓは、このように、中心線Ｌ１と平行な前方辺３１１を有する上板３１と、側方辺３２１を有する側板３２と、を有するフード３を有する。よって、火災感知器Ｓは、第１光検出素子１、第２光検出素子２、及び、このようなフード３を有することで、不要光に対して、フード３によって遮られる第１光検出素子１の受光面の面積と、フード３によって遮られる第２光検出素子２の受光面の面積との差を生じづらくする。
【００４４】
よって、火災感知器Ｓにおいては、光が入射する角度の違いによって、第１光検出素子１に入射する光量と第２光検出素子２に入射する光量との差が大きくなりづらい。この結果、火災感知器Ｓは、誤作動が生じづらくなる。
【００４５】
＜第２の実施形態＞
図７は、第２の実施形態に係る火災感知器Ｓｂの構造を示す図である。
第２の実施形態に係る火災感知器Ｓｂは、第１の実施形態に係る火災感知器Ｓと比べて、フード３の代わりにフード３ｂを有する点で異なる。
【００４６】
フード３ｂは、上板３１ｂ、及び側板３２ｂを有する。上板３１ｂは、上板３１と同様に、第１光検出素子１及び第２光検出素子２の火災感知器Ｓの高さ方向における上方に設けられている。上板３１ｂは、上板３１と同様に、前方辺３１１ｂを有する。前方辺３１１ｂは、上板３１ｂの前方側の辺である。前方辺３１１ｂは、前方辺３１１と同様に、第１光検出素子１の受光面の中心と第２光検出素子２の受光面の中心とを結ぶ中心線Ｌ１と平行である。
【００４７】
側板３２ｂは、側方辺３２１ｂ、湾曲板部３２２ｂ、及び平板部３２３ｂを有する。側方辺３２１ｂは、側方辺３２１と同様に、前方辺３１１ｂの側端と中心線Ｌ１とを結ぶ方向に延伸しており、かつ中心線Ｌ１と直交している。ここで、直交とは、完全に直交ではなく、直交から±１０度の範囲を含んでいてもよい。
【００４８】
湾曲板部３２２ｂは、上板３１ｂの幅方向における側端から下方に向かうにつれて徐々に当該側端からの距離が大きくなるように幅方向における外側向きに傾斜して湾曲している部位である。平板部３２３ｂは、湾曲板部３２２ｂの下端から下方に向かって延伸している部位である。平板部３２３ｂは、上板３１ｂと直交している。
【００４９】
＜第３の実施形態＞
図８は、第３の実施形態に係る火災感知器Ｓｃの構造を示す図である。
第３の実施形態に係る火災感知器Ｓｃは、第１の実施形態に係る火災感知器Ｓと比べて、フード３の代わりにフード３ｃを有する点で異なる。
【００５０】
フード３ｃは、上板３１ｃを有する。上板３１ｃは上方に凸形状の曲面を有している。フード３ｃは、例えば、円筒を斜めにカットした形状である。上板３１ｃは、前方辺３１１ｃを有する。前方辺３１１ｃは、前方辺３１１と同様に、上板３１ｃの前方側の辺である。
【００５１】
＜第４の実施形態＞
図９は、第４の実施形態に係る火災感知器Ｓｄの構造を示す図である。
第４の実施形態に係る火災感知器Ｓｄは、第１の実施形態に係る火災感知器Ｓと比べて、フード３の代わりにフード３ｄを有する点で異なる。
【００５２】
フード３ｄは、上板３１ｄ、及び側板３２ｄを有する。上板３１ｄは、上板３１と同様に、第１光検出素子１及び第２光検出素子２の火災感知器Ｓの高さ方向における上方に設けられている。
【００５３】
上板３１ｄは、前方辺３１１ｄ、第１領域３１２ｄ、第２領域３１３ｄ、及び下方辺３１４ｄを有する。前方辺３１１ｄは、第１領域３１２ｄの前方側の辺である。前方辺３１１ｄは、前方辺３１１と同様に、第１光検出素子１の受光面の中心と第２光検出素子２の受光面の中心とを結ぶ中心線Ｌ１と平行である。第１領域３１２ｄは、前端から後方に向かって延伸している領域である。第２領域３１３ｄは、前端から下方に向かって延伸している領域である。下方辺３１４ｄは、第２領域３１３ｄの下方側の辺である。下方辺３１４ｄは、第１光検出素子１の受光面の中心と第２光検出素子２の受光面の中心とを結ぶ中心線Ｌ１と平行である。
【００５４】
側板３２ｄは、側板３２と同様に、上板３１ｄと直交しており、上板３１ｄの幅方向における側端から下方に向かって延伸している。側板３２ｄは、側板３２と同様に、側方辺３２１ｄを有する。側方辺３２１ｄは、下方辺３１４ｄの側端と中心線Ｌ１とを結ぶ方向に延伸しており、かつ中心線Ｌ１と直交している。ここで、直交とは、完全に直交ではなく、直交から±１０度の範囲を含んでいてもよい。
【００５５】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００５６】
Ｓ、Ｓａ、Ｓｂ、Ｓｃ、Ｓｄ・・・火災感知器
１・・・第１光検出素子
２・・・第２光検出素子
３、３ｂ、３ｃ、３ｄ・・・フード
３１、３１ｂ、３１ｃ、３１ｄ・・・上板
３１１・・・前方辺(Ｌ２)
３１１ｂ、３１１ｃ、３１１ｄ・・・前方辺
３１２ｄ・・・第１領域
３１３ｄ・・・第２領域
３１４ｄ・・・下方辺
３２、３２ｂ、３２ｄ・・・側板
３２１・・・側方辺(Ｌ３)
３２１ｂ、３２１ｄ・・・側方辺
３２２ｂ・・・湾曲板部
３２３ｂ・・・平板部
３２Ｌ、３２ｂＬ、３２ｄＬ・・・左側板
３２Ｒ、３２ｂＲ、３２ｄＲ・・・右側板
４・・・判定部
５ａ・・・第３光検出素子
Ｌ１・・・中心線
Ｔ・・・火災感知器
９・・・フード
９１・・・上板
９１１・・・前方辺
９２・・・側板
９２１・・・前方辺
９２２・・・下方辺
９２Ｌ・・・左側板
９２Ｒ・・・右側板
Ｌ４・・・中心線
【図１】
2020197397.tif 000003
【図２】
2020197397.tif 000004
【図３】
2020197397.tif 000005
【図４】
2020197397.tif 000006
【図５】
2020197397.tif 000007
【図６】
2020197397.tif 000008
【図７】
2020197397.tif 000009
【図８】
2020197397.tif 000010
【図９】
2020197397.tif 000011